Podtech/llm-jp-corpus-v4-ja_patent huggingface dataset:
(57)【要約】【課題】作業者が荷物搬送時の台車を使用中に、荷物の落下、壁面との接触で、手を負傷するのを軽減するカバーを提供する。【解決手段】台車ハンドルに取り付ける、取り付け部品１、取り付け部品２と、取り付け部品１、取り付け部品２に取り付けるカバー部品３を具備する。【選択図】図１
2019089527.tif 000002
【特許請求の範囲】
【請求項１】
台車のハンドル部に取り付け部品１、取り付け部品２を取り付け、取り付け部品１、取り付け部品２に、カバー部品３を取り付け、荷物の落下から、手を保護カバーである。
【請求項２】
カバー部品３の幅により、横方向の挟まれにも手を保護するカバーである。
【請求項３】
カバー部品３、取り付け部品１、取り付け部品２を色分けすることにより、台車の所有、配属を明確にできるカバーである。
【請求項４】
取り付け部品１、取り付け部品２を省略し、一体構造のカバー部品３を台車ハンドル部に直接取り付ける構造にすることでも、手を保護するカバーである。
【発明の詳細な説明】
【発明の概要】
【発明が解決しようとする課題】
【０００１】手押し台車にて荷物を搬送中に、荷物が傾き落下した際に、荷物と人の手を挟んでしまうのを防ぐ。
【課題を解決するための手段】
【０００２】台車のハンドルに手を保護するガードを取り付ける。
【発明の効果】
【０００３】台車のハンドルにカバー固定部品をクランプ取り付けし、固定部品にカバーを取り付け、荷物の傾き、落下によるハンドルを握った手を保護する。【０００４】ハンドル垂直部から、水平部にかけてカバーし、横方向の接触、衝突も防ぐ。
【図面の簡単な説明】
【０００５】
【図１】台車ハンドルが斜めのタイプの全体図である。
【図２】台車ハンドルが垂直のタイプの全体図である。
【図３】台車ハンドルが水平のタイプの全体図である。
【符号の説明】
【０００６】１  カバー固定部品Ａ
２  カバー固定部品Ｂ
３  カバー本体
【図１】
2019089527.tif 000003
【図２】
2019089527.tif 000004
【図３】
2019089527.tif 000005
(57)【要約】【課題】地震対策に対して、いろんな方法が提案されている。しかし、その対策は大掛かりで金銭的にも出費が多く、固定型の物が多かった。それらの点を最小限に特化し、人体を最優先に考えた空間を提供する。【解決手段】本来、この形状の物は機械や装置を粉じんや障害物から守る目的で使われるが、この材料は安価で強度もあり強度性と衛生的な所を考え外圧から守る構造に改良し、耐震用に改良したものである。材料は安価で強度があり、軽量で市販されている為、構造物自体も相対的に高額にならずにすみ、リサイクル（別の場所へ移動の場合は、組み直しが容易）が可能である。材料については市販規格品の為、考案者が自由に創作し使用できる。例えば、現在騒がれている大きな地震で倒壊するといわれる構造物に対しても、本考案のアイデア方法が使える。【選択図】図１
2019073961.tif 000002
【特許請求の範囲】
【請求項１】
基本的に四角形状を元に、棒状材（１）（２）（３）を基本としたアルミ等軽量材質で、補強材（４）と取付金具（５）を結合し、外圧から耐えられる構造とし外圧からの力に十分に隙間が確保できるよう設計された構造物である。（アルミ材、補強材、取付金具は一般購入品である）上下面に強度が十分なコンパネ材（７）等を貼り、上下や外部からの外圧に耐えられる構造物にしたガード空間である。
市販品を工夫活用し、安価で人体を守るアイデア製品である。
【発明の詳細な説明】
【技術分野】
【０００１】本発明は、昨今大地震が予想されるなか、いまだに耐震処理がされていない家屋が多いとされている。耐震化には相当のお金がかかり、どこまで耐震化したらいいのか、いくらかければ安全かが問われる。
まず、身近な体を守る事を優先した安価で、リサイクル可能な構造としたものである。
【背景技術】
【０００２】耐震化的なものは世の中に多く出回っている。しかし、自分の考案したものが似たような構造体で装置や機械を保護する簡単な構造体はあるが、その目的ではなく、布団・ベッド等で就寝中の時起こった外圧（例えば、地震・噴火・爆発的な状況）から、人体を守る一般品（規格品）を利用し安価でリサイクル可能な空間構造を作り出す、アイデア技術である。
【先行技術文献】
【特許文献】
【０００５】
【特許文献１】
【非特許文献】
【０００６】
【非特許文献１】
【発明の概要】
【発明が解決しようとする課題】
【０００７】本構造物は今迄、耐震化について家そのものに重点が置かれていたが、それではいくらかかるのか見積もりの見当がつかない。その上、耐震化してまで価値があるのか持ち主も考えこむ事も多い事がある。【０００８】耐震化するかどうかは専門家にゆだねられる。しかし、その間も地震の脅威からは解放されない。
特に昨今は、大地震が時期的に叫ばれ始めている。
物質は再生できるが、人間が被害に遭えば悲しむ人が多く、精神的にも多大な後遺症として残り再起にも時間がかかり、悪影響は免れない。
【課題を解決するための手段】
【０００９】本発明に係わるガード空間は、縦方向の柱２を基準に既成材料１を上側と下側に枠として合流させ、縦方向の柱２に補強材４と取付金具５を使い固定させる。
ほかにも剛性を保つために３の既成材料を組付け、一層安全性を確保。
上下に木材（コンパネ等）を張りより、一層強度が増すようにした。
【発明の効果】
【００１０】本発明により、既成材料を使う事により剛性も保たれ、引っ越し時など分解し移動先で同じように組付けが出来る。環境にも優しいものである。
その事で、金銭的に余裕が生まれ家の大掛かりの耐震化まで、安心して就寝時の時など暮らす事が出来る。【００１１】就寝用に考案したが、地震等などの時も避難枠として使える。
他にも長さと形状を調整し、勉強机で勉強中でも枠に避難でき、机で仕事中でも地震等などの時に枠内に避難できる。
【図面の簡単な説明】
【００１２】
【図１】  本発明に係わるガード空間の正面図である。
【図２】  側面である。
【図３】  平面図である。
【図４】  ガード空間にベッドと人型形状を組みこんだ図である。
【発明を実施するための形態】
【００１３】ベッドと人型形状を組み込んだものである。
【００１４】１，２，３の部品を５で固定し、なおかつ外圧に耐えられるように４の補強材で補強してある。
【符号の説明】
【００１５】  １  上下メンに使用する組図
２  土台となる支柱
３  補強を兼ねた柱
４  補強材
５  組付けブラケット
６  柱を塞ぐふた
７  上下面を塞ぐ板（コンパね等）
【図１】
2019073961.tif 000003
【図２】
2019073961.tif 000004
【図３】
2019073961.tif 000005
【図４】
2019073961.tif 000006
(57)【要約】      （修正有）【課題】資源の節約になり、森林保護にもなる、腐らなくて強度の大きい木製の建築物を提供する。【解決手段】木材で形成された断面正六角形の筒体４を単体で又は複数結合して使用するハニカム状の建築物であって、筒体４の断面六角形の相対する３組の辺５どうしの間に吸引作用を及ぼしながら架設する支持梁１０，１１，１２を備えた。【選択図】図１
2019073945.tif 000002
【特許請求の範囲】
【請求項１】
木材で形成された断面正六角形の筒体を単体で又は複数結合して使用するハニカム状の建築物において、
前記筒体の断面六角形の相対する３組の辺どうしの間に吸引作用を及ぼしながら架設する支持梁を備えたことを特徴とする建築物。
【請求項２】
各１組の辺どうしに平行な２本以上の支持梁を備えたことを特徴とする請求項１記載の建築物。
【請求項３】
支持梁は錆びない性質を備えたワイヤー材であることを特徴とする請求項１又は２記載の建築物。
【発明の詳細な説明】
【技術分野】
【０００１】
本願発明は、木材で形成されたハニカム状の建築物に関するものである。
【背景技術】
【０００２】
本願発明者は、資源の節約になり、森林保護にもなる、腐らなくて強度の大きい木製の人工島として、断面正六角形の筒体を横方向に多数接合させたハニカム状の浮体を木材で形成し、前記浮体を水平に沈め、その上に建造物を設置し、前記筒体を多数の角材を組合せてなるものを発明した（特許文献１）。
【先行技術文献】
【特許文献】
【０００３】
【特許文献１】特開２０１１−１６２０１７号公報
【発明の概要】
【発明が解決しようとする課題】
【０００４】
そして、本願発明者はさらにこれを人の居所となる建築物に応用させるべく、鋭意研究・開発を進めて、本願発明を完成させるに至った。
【課題を解決するための手段】
【０００５】
第１の発明は、木材で形成された断面正六角形の筒体を単体で又は複数結合して使用するハニカム状の建築物において、前記筒体の断面六角形の相対する３組の辺どうしの間に吸引作用を及ぼしながら架設する支持梁を備えたことを特徴とするものである。
第２の発明は、各１組の辺どうしに平行な２本以上の支持梁を備えたことを特徴とする同建築物である。
第３の発明は、支持梁が錆びない性質を備えたワイヤー材であることを特徴とする同建築物である。
【発明の効果】
【０００６】
本願発明によれば、以下のような効果を有する。
（１）建築物を構成する筒体の断面六角形の相対する３組の辺どうしの間に収縮作用を及ぼしながら架設する支持梁を備えたことで、六角形構造体である筒体に対極吸引網が形成されて、木造のハニカム総合力建築構造体を実現できる（吸引力応用による六角形構造体建築の構築）。また、作業現場では、筒体の組み立てのみであるので、工期が早く、施工のコストダウンにつながる。
（２）各１組の辺どうしに平行な２本以上の支持梁を備えることで、筒体に形成される対極吸引網が安定する。
（３）支持梁は錆びない性質を備えたワイヤー材であることによって、建築物に錆の発生を防止できて、耐久性が増す。また、木材の他にワイヤーを使用することで材料の軽量化が図られ、工期及び工費の改良が可能になる。
【図面の簡単な説明】
【０００７】
【図１】本願発明の実施形態を示す説明図（１）。
【図２】本願発明の実施形態を示す説明図（２）。
【図３】本願発明の実施形態を示す説明図（３）。
【図４】本願発明の実施形態を示す説明図（４）。
【図５】本願発明の実施形態を示す説明図（５）。
【図６】本願発明の使用形態を示す説明図（１）。
【図７】本願発明の使用形態を示す説明図（２）。
【発明を実施するための形態】
【０００８】
本願発明の実施形態を図面に基づいて説明する。但し、図示するものは本願発明の一例であり、本願発明は図示のものに限定されるものではない。
【０００９】
図１は、本願発明に係るハニカム状の建築物の単体を図示したものである。図１に図示するように、本願発明に係る建築物（単体）は、木材で形成された断面正六角形の筒体４からなるものである。
【００１０】
そして、前記筒体４の断面六角形の相対する３組の辺５どうしの間に吸引作用を及ぼしながら架設する支持梁１０，１０，１１，１１，１２，１２を備えたことを特徴とするものである。支持梁に吸引作用を有することで、六角形構造体である筒体４に対極吸引網が形成されて、筒体４の六角形構造体がバランスの取れた極めて強固なものとなる（六角形の角部は公知の木組みをするだけでズレを防止できる＝接着剤などは不要）。その結果、木造のハニカム総合力建築構造体を実現できる。
【００１１】
なお、支持梁は各１組の辺どうしに１本以上あればよいが、平行な２本以上の支持梁を備えることで、筒体に形成される対極吸引網が安定する。その際、図示するように筒体４の開口側付近に支持梁を備えると、内部空間が広く使えて支持梁が障害にならない。
また、支持梁は錆びない性質を備えたワイヤー材であることが好ましい。建築物に錆の発生を防止できるからである。
このような吸引作用や錆びない性質などを備えた支持梁（ワイヤー材）として、熱可塑性炭素繊維複合材「ＣＡＢＫＯＭＡ（カボコーマ）ストランドロッド」などの使用を想定している。
【００１２】
図２〜図５は、図１に図示したハニカム状の建築物（単体）の複数結合を図示したものである。
図２及び図３は、正面側からの図示したもの、図４及び図５は、平面側から内部を図示したものである。
図示するように、筒体４の内部には様々なレイアウトを施すことができて、住宅・仕事（オフィス）・ホテル等に利用できる建築物１となる。
なお、複数結合された筒体４のうち、四方を筒体４に囲まれた内側の筒体４については、支持梁を不要としてもよい（外側の筒体４については支持梁を必要とする）。内側の筒体４については、四方を囲む筒体４から六角形の各辺に押圧作用がかかり、支持梁による吸引作用と同じ作用が生じているからである。
【００１３】
図６及び図７は、本願発明に係る建築物１が実際に使用されている状態を図示したものである（図６は、正面側から内部を図示したもの、図７は、側面側から内部を図示したもの）。
図示する寸法の建築物１であれば、人の居所となる建築物として十分に使用できるものである。
【産業上の利用可能性】
【００１４】
本願発明は、資源の節約になり、森林保護にもなる、腐らなくて強度の大きい木製の建築物として、住居・職場（オフィス）・ホテルなどに幅広く利用できるものである。
【符号の説明】
【００１５】
１  建築物
４  筒体
５  辺
１０  支持梁
１１  支持梁
１２  支持梁
【図１】
2019073945.tif 000003
【図２】
2019073945.tif 000004
【図３】
2019073945.tif 000005
【図４】
2019073945.tif 000006
【図５】
2019073945.tif 000007
【図６】
2019073945.tif 000008
【図７】
2019073945.tif 000009
(57)【要約】 【課題】従来の多くの用水路発電に関する発明は用水路の一点を利用して、または、類似の発電機を同じ用水路に多数設置し発電エネルギーを取得しようとしていた。用水路の一点を利用して発電しようとするものでなく、用水路の直線部の長区間を利用して、流速エネルギーを回転力に変換し発電しようとすることを目的とする。【解決手段】本発明の水力発電装置は、円筒部材と、前記円筒部材の中心軸と同軸上に配置された回転軸と、前記円筒部材の外周に設けられた螺旋状羽根部材と、前記円筒部材の前後端部に設けられ回転軸に固定される円錐状のキャップ部材とを有する回転部材と、前記回転軸を軸受けする軸受部材と、前記回転軸の回転力が伝達される発電装置とを備え前記円筒部材の内部空間に、水より比重の低い低比重部材を配置すると共に水を満たすことにより、前記回転部材の比重を水の比重と同一にしたことを特徴とする。【選択図】図１
2019073992.tif 000002
【特許請求の範囲】
【請求項１】
円筒部材と、前記円筒部材の中心軸と同軸上に配置された回転軸と、前記円筒部材の外周に設けられた螺旋状羽根部材と、前記円筒部材の前後端部に設けられ回転軸に固定される円錐状のキャップ部材とを有する回転部材と、前記回転軸を軸受けする軸受部材と、前記回転軸の回転力が伝達される発電装置とを備え
前記回転部材の内部空間に、水より比重の低い低比重部材を配置すると共に水を満たすことにより、前記回転部材の比重を水の比重と同一にしたことを特徴とする水力発電装置。
【発明の詳細な説明】
【技術分野】
【０００１】
本発明は、水量が多けれども低勾配の用水路を利用した小水力発電装置に関する。
【背景技術】
【０００２】
従来は、用水路を利用した小水力発電装置は、水車やらせん水車又は
プロペラを流水に差し込んで発電したり用水路に低落差を設けて落差を利用した発電が一般的である。
【先行技術文献】
【特許文献】
【０００３】
【特許文献１】実公昭４−２０２８８号公報
【特許文献２】実公大１４−１００１号公報
【特許文献３】特開平７−４３３６号公報
【発明の概要】
【発明が解決しようとする課題】
【０００４】
従来の多くの用水路発電に関する発明は用水路の一点を利用して、または、類似の発電機を同じ用水路に多数設置し発電エネルギーを取得しようとしていた。
本発明は、用水路の一点を利用して発電しようとするものでなく、用水路の直線部の長区間を利用して、流速エネルギーを回転力に変換し発電しようとするものである。
【課題を解決するための手段】
【０００５】
本発明の水力発電装置は、円筒部材と、円筒部材の中心軸と同軸上に配置された回転軸と、円筒部材の外周に設けられた螺旋状羽根部材と、円筒部材の前後端部に設けられ回転軸に固定される円錐状のキャップ部材とを有する回転部材と、前記回転軸を軸受けする軸受部材と、回転軸の回転力が伝達される発電装置とを備え
回転部材の内部空間に、水より比重の低い低比重部材を配置すると共に水を満たすことにより、回転部材の比重を水の比重と同一にしたことを特徴とする。
【発明の効果】
【０００６】
本発明の装置には、次のような効果がある。
本発明は、ドラムとらせん状羽根を含めた回転する部分の比重を比重の小さい発砲スチロール等をドラムに内蔵することと空隙を水で満たすことによって比重が水とほぼ同じ１．０にした。これにより、ドラム全体が水中で無重力状態となる。
水中にドラム全体を沈めるため、用水路の流水の断面が狭まり流速を早める効果もある。
又、中間ドラムを現場に応じて増設することによってドラムが流水に接する区間を増し流水からのエネルギーをより多く取得できる。
水出入口の穴をあけてあることにより設置時には徐々にドラムに水が流入し、又、ドラムの修理時等にはドラム徐々に上げることにより水がドラムから抜けドラム全体が軽量化して作業がし易くなる。
【図面の簡単な説明】
【０００７】
【図１】本発明に係る水力発電装置を用水路に設置の正面図。
【図２】図１の水力発電装置の平面図。
【図３】図１の水力発電装置の断面図。
【図４】図１の水力発電装置のドラム断面図。
【図５】図１の水力発電装置のドラム斜視図。
【発明を実施するための形態】
【０００８】
以下、本発明を、図を用いて詳細に説明する。
本実施例の水力発電装置における回転部材は、金属軸（回転軸）１０を中心として発砲スチロール等の比重の軽い素材（水より比重の低い低比重部材）１５を張り付けその外側に無重力ドラム（円筒部材）１３とらせん状羽根（螺旋状羽根部材）１２から成る一体構造物となる。
構造物（回転部材）を用水路に設置或いは修理する際に用水路の流水を一時止める事が出来ないため構造物を軽量化して、上げ下げを容易にする。
それを解決するため水出入口１７を設け無重力ドラム１３内の水を出し入れしながら除々に上げ下げすることが出来る。
流水抵抗低減キャップ（円錐状のキャップ部材）１１は、無重力ドラム１３の先端と末端に取り付けれら、水の乱流を防止し流速の低下を防ぐものである。
構造物の重量を発砲スチロールの容積と等しくする事によって、構造物を水中で概ね比重１．０となり流水をスムーズに回転力に返還させることができる。無重力ドラム１３の比重調整を発砲スチロール等の固型で軽い素材１５を使うためドラム１３内の水との区分が不必要となり、水出入口からの水の出入りが自由となり、無重力ドラム１３の設置、修理が容易になる。
中間ドラム（円筒部材）８を増設することで、用水路の直線部を長く利用出来き、多く電気エネルギーを得られる。
【産業上の利用可能性】
【０００９】
用水路の水面下にドラムを設置し、らせん状羽根によって流水の持っているエネルギーを長い区間で取り出すことができるため、現在の一般的な装置よりも多くの電気エネルギーを取得できる。
【符号の説明】
【００１０】
１    流水
２    用水路
３    水面
４    取付部
５    発電機
６    増速機
７    先端ドラム
８    中間ドラム
９    末端ドラム
１０  金属軸
１１  流水抵抗低減キャップ
１２  らせん状羽根
１３  無重力ドラム
１４  自在継ぎ手
１５  発砲スチロール
１６  ドラム内部水
１７  水出入口
【図１】
2019073992.tif 000003
【図２】
2019073992.tif 000004
【図３】
2019073992.tif 000005
【図４】
2019073992.tif 000006
【図５】
2019073992.tif 000007
(57)【要約】      （修正有）【課題】ブレーキを踏み減速すると、点灯し表示灯の中心から左右に外側に広がって、周期（速さ）が減速の強さに比例して表示し後続車に早く分かり易く伝える事で追突を防止する事を提供する。【解決手段】自動車ブレーキ減速表示灯に吊下げＥＥセンサー２と吊下げＬＥＤ３と電磁ブレーキ４と吊下げシャツター５とマイコン（プログラム）と重り７を組合せることを特徴とする。【選択図】図３
2019073257.tif 000002
【特許請求の範囲】
【請求項１】
自動車ブレーキＬＥＤ減速表示灯１と吊下げＥＥセンサー２と
吊下げＬＥＤ３と電磁ブレーキ４と吊下げシャツター５と
マイコン（プログラム）６と重り７を組み合わせたブレーキ減速表示灯
【請求項２】
自動車ブレーキ減速表示灯１は、減速すると表示灯の中心から左右の外側に広がって周期（速さ）が減速の強さに比例して表示する表示灯
【発明の詳細な説明】
【技術分野】
【０００１】この発明は表示灯に、吊下げＥＥセンサーと
吊下げＬＥＤと電磁ブレーキとマイコン（プログラム）と
重りを組合わせた、自動車ブレーキ減速表示灯に関するものである。
【背景技術】
【０００２】従来は、ブレーキペタルを踏み込んだ時赤色の照明により点灯する事で後続車に注意を喚起（告げる）する事にとどまっている。
【先行技術文献】
【特許文献】
【０００３】
【発明の概要】
【発明が解決しようとする課題】
【０００４】（イ）従来のブレーキ灯は後続車に注意を喚起（告げる）する事にとどまっていて減速の大きさを伝えていない。
急ブレキーかゆっくり止まるのか後続車に伝わらないので追突の危険がある。
本発明は以上のような欠点をなくすためになされたものである。
【課題を解決するための手段】
【０００５】自動車ブレーキ減速表示灯１に吊下げＥＥセンサー２と
吊下げＬＥＤ３と電磁ブレーキ４と吊下げシャツター５と
マイコン（プログラム）６と重り７を設ける。
本発明は、以上の構成よりになる自動車ブレーキ減速表示灯である。
【発明の効果】
【０００６】自動車ブレーキ減速表示灯はペタルを踏み減速すると表示灯の中心から左右外側に同時広がって、点灯し周期（速さ）が減速の強さに比例して変化し順次点灯を繰り返す事で、後続車に、早く分かり易く情報を後続車に、伝える事で追突を防止する。
【図面の簡単な説明】
【０００７】
【図１】本発明の自動車減速灯の正面図
【図２】本発明のマイコン（プログラム）正面図
【図３】本発明の減速センサー組立の正面図
【発明を実施するための形態】
【０００８】  本発明を実地するための形態について説明する。
（イ）ブレーキを踏まない運転走行中は道路が高低があるので，一体の吊下げＥＥセンサー吊下げＬＥＤ２．３と吊下げシヤッター５は常に道路に対して垂直になる様に重り７を取付
（ロ）ペタルを踏むと通電しブレーキ減速灯１が全灯し、電磁ブレーキ４が動き吊下げＥＥセンサーＬＥＤ２．３が動きが止まり減速の大きさが慣性の力に比例して吊下げシヤッター５を開閉して、吊下げＥＥセンサー２に、光が当たり抵抗が変化し減速の大きさに比例した電圧を作る。
（ハ）マイコン６に入力しプログラムされた信号を表示灯に送り表示灯の中心から左右に順次広がり点灯を繰り返し周期（速さ）が減速の大きさに比例した点灯を表示する自動車ブレーキ減速表示灯の組合せと動作である。
【符号の説明】
【０００９】１  自動車ブレーキ減速表示灯
２  吊下げＥＥセンサー
３  吊下げＬＥＤ
４  電磁ブレーキ
５  吊下げシャツター
６  マイコン（プログラム）
７  重り
【図１】
2019073257.tif 000003
【図２】
2019073257.tif 000004
【図３】
2019073257.tif 000005